(57)【要約】【課題】第１の記憶手段が故障の状態である場合には、メッセージを表示することができる画像形成装置を提供することである。【解決手段】画像形成装置は、第１の記憶手段（２０４）と、第２の記憶手段（２０３）と、第１の記憶手段が正常な状態である場合には、受信した印刷データを第１の記憶手段と第２の記憶手段に保存し、保存した印刷データをプリンタ手段により印刷するように制御し、第１の記憶手段が故障の状態である場合には、メッセージを表示するように制御する制御手段（２０２）とを有する。【選択図】図２
2020104474.tif 000002
【特許請求の範囲】
【請求項１】
第１の記憶手段と、
第２の記憶手段と、
前記第１の記憶手段が正常な状態である場合には、受信した印刷データを前記第１の記憶手段と前記第２の記憶手段に保存し、前記保存した印刷データをプリンタ手段により印刷するように制御し、前記第１の記憶手段が故障の状態である場合には、メッセージを表示するように制御する制御手段と
を有することを特徴とする画像形成装置。
【請求項２】
前記制御手段は、前記第１の記憶手段が故障の状態である場合には、印刷に長時間がかかる旨の表示、印刷を続行するか否かを選択するための表示、または、他の画像形成装置で印刷するか否かを選択するための表示を行うように制御することを特徴とする請求項１に記載の画像形成装置。
【請求項３】
前記第１の記憶手段は、不揮発性の記憶手段であり、
前記第２の記憶手段は、揮発性の記憶手段であることを特徴とする請求項１または２に記載の画像形成装置。
【請求項４】
前記第１の記憶手段は、ハードディスクドライブであり、
前記第２の記憶手段は、半導体メモリであることを特徴とする請求項１〜３のいずれか１項に記載の画像形成装置。
【請求項５】
前記制御手段は、外部装置から印刷データを受信し、前記第１の記憶手段が故障の状態である場合、前記印刷データの容量が前記第２の記憶手段の保存可能容量より大きい場合には、メッセージを表示するように制御することを特徴とする請求項１〜４のいずれか１項に記載の画像形成装置。
【請求項６】
前記制御手段は、外部装置から印刷データを受信し、前記第１の記憶手段が故障の状態である場合、前記印刷データの容量が前記第２の記憶手段の保存可能容量より大きい場合には、印刷を続行するか否かを選択するための表示をするように制御することを特徴とする請求項１〜５のいずれか１項に記載の画像形成装置。
【請求項７】
前記制御手段は、
前記印刷を続行することが選択された場合には、前記外部装置から受信した印刷データを前記第２の記憶手段に保存し、前記外部装置に対して印刷データの送信を中断させるように制御し、前記第２の記憶手段に保存されている印刷データを前記プリンタ手段に出力し、前記第２の記憶手段に保存されている印刷データを消去し、前記外部装置に対して印刷データの送信を再開させるように制御し、
前記印刷を続行しないことが選択された場合には、前記受信した印刷データを前記プリンタ手段により印刷しないように制御することを特徴とする請求項６に記載の画像形成装置。
【請求項８】
前記制御手段は、前記第１の記憶手段が故障の状態である場合、前記印刷データの容量が前記第２の記憶手段の保存可能容量以下である場合には、前記外部装置から受信した印刷データを前記第２の記憶手段に保存し、前記第２の記憶手段に保存されている印刷データを前記プリンタ手段により印刷するように制御することを特徴とする請求項６または７に記載の画像形成装置。
【請求項９】
前記制御手段は、前記受信した印刷データのヘッダ情報を基に前記印刷データの容量を取得することを特徴とする請求項５〜８のいずれか１項に記載の画像形成装置。
【請求項１０】
前記制御手段は、外部装置から印刷データを受信し、前記第１の記憶手段が故障の状態である場合、前記受信した印刷データのヘッダ情報を基に前記印刷データの容量を取得できない場合には、エラー表示をするように制御し、前記印刷データを前記プリンタ手段により印刷しないように制御することを特徴とする請求項１〜４のいずれか１項に記載の画像形成装置。
【請求項１１】
前記制御手段は、外部装置から印刷データを受信し、前記第１の記憶手段が故障の状態である場合、前記印刷データの容量が前記第２の記憶手段の保存可能容量より大きい場合には、印刷を続行するかまたは他の画像形成装置で印刷するかを選択するための表示をするように制御し、前記印刷を続行することが選択された場合には、前記受信した印刷データを前記第２の記憶手段に保存し、前記保存した印刷データを前記プリンタ手段により印刷するように制御し、前記他の画像形成装置で印刷することが選択された場合には、前記受信した印刷データを前記プリンタ手段により印刷しないように制御することを特徴とする請求項１〜６のいずれか１項に記載の画像形成装置。
【請求項１２】
前記制御手段は、スキャナ手段が読み取る印刷データの印刷が指示された場合、前記第１の記憶手段が故障の状態である場合には、印刷を続行するか否かを選択するための表示をするように制御することを特徴とする請求項１〜４のいずれか１項に記載の画像形成装置。
【請求項１３】
前記制御手段は、前記印刷を続行することが選択された場合には、前記スキャナ手段から受信した印刷データを前記第２の記憶手段に保存し、前記保存した印刷データを前記プリンタ手段により印刷するように制御し、前記印刷を続行しないことが選択された場合には、前記プリンタ手段により印刷しないように制御することを特徴とする請求項１２に記載の画像形成装置。
【請求項１４】
前記制御手段は、前記印刷を続行することが選択された場合、前記スキャナ手段が印刷データの読み取りを開始するように制御し、前記スキャナ手段が読み取った印刷データを受信し、前記受信した印刷データを前記第２の記憶手段に保存し、前記第２の記憶手段の保存可能容量が所定値以上である場合には、前記スキャナ手段が読み取りを継続するように制御し、前記第２の記憶手段の保存可能容量が前記所定値未満である場合には、前記スキャナ手段が読み取りを中断するように制御し、前記第２の記憶手段に保存されている印刷データを前記プリンタ手段に出力し、前記第２の記憶手段に保存されている印刷データを消去し、前記スキャナ手段が読み取りを再開するように制御し、前記スキャナ手段がすべての読み取りを終了した場合には、前記第２の記憶手段に保存されている印刷データを前記プリンタ手段に出力することを特徴とする請求項１３に記載の画像形成装置。
【請求項１５】
第１の記憶手段と、
第２の記憶手段と、
前記第１の記憶手段が正常な状態である場合には、外部装置から受信した印刷データを前記第１の記憶手段と前記第２の記憶手段に保存し、前記保存した印刷データをプリンタ手段により印刷するように制御する制御手段とを有し、
前記制御手段は、前記第１の記憶手段が故障の状態である場合、前記印刷データの容量が前記第２の記憶手段の保存可能容量より大きい場合には、前記外部装置から受信した印刷データを前記第２の記憶手段に保存し、前記外部装置に対して印刷データの送信を中断させるように制御し、前記第２の記憶手段に保存されている印刷データをプリンタ手段に出力し、前記第２の記憶手段に保存されている印刷データを消去し、前記外部装置に対して印刷データの送信を再開させるように制御することを特徴とする画像形成装置。
【請求項１６】
第１の記憶手段と、
第２の記憶手段と、
前記第１の記憶手段が正常な状態である場合には、スキャナ手段から受信した印刷データを前記第１の記憶手段と前記第２の記憶手段に保存し、前記保存した印刷データをプリンタ手段により印刷するように制御する制御手段とを有し、
前記制御手段は、前記第１の記憶手段が故障の状態である場合には、前記スキャナ手段が印刷データの読み取りを開始するように制御し、前記スキャナ手段が読み取った印刷データを受信し、前記受信した印刷データを前記第２の記憶手段に保存し、前記第２の記憶手段の保存可能容量が所定値以上である場合には、前記スキャナ手段が読み取りを継続するように制御し、前記第２の記憶手段の保存可能容量が前記所定値未満である場合には、前記スキャナ手段が読み取りを中断するように制御し、前記第２の記憶手段に保存されている印刷データを前記プリンタ手段に出力し、前記第２の記憶手段に保存されている印刷データを消去し、前記スキャナ手段が読み取りを再開するように制御し、前記スキャナ手段がすべての読み取りを終了した場合には、前記第２の記憶手段に保存されている印刷データを前記プリンタ手段に出力することを特徴とする画像形成装置。
【請求項１７】
第１の記憶手段と、
第２の記憶手段とを有する画像形成装置の制御方法であって、
制御手段により、前記第１の記憶手段が正常な状態である場合には、受信した印刷データを前記第１の記憶手段と前記第２の記憶手段に保存し、前記保存した印刷データをプリンタ手段により印刷するように制御するステップと、
前記制御手段により、前記第１の記憶手段が故障の状態である場合には、メッセージを表示するように制御するステップと
を有することを特徴とする画像形成装置の制御方法。
【請求項１８】
第１の記憶手段と、
第２の記憶手段とを有する画像形成装置の制御方法であって、
制御手段により、前記第１の記憶手段が正常な状態である場合には、外部装置から受信した印刷データを前記第１の記憶手段と前記第２の記憶手段に保存し、前記保存した印刷データをプリンタ手段により印刷するように制御するステップと、
前記制御手段により、前記第１の記憶手段が故障の状態である場合、前記印刷データの容量が前記第２の記憶手段の保存可能容量より大きい場合には、前記外部装置から受信した印刷データを前記第２の記憶手段に保存し、前記外部装置に対して印刷データの送信を中断させるように制御し、前記第２の記憶手段に保存されている印刷データをプリンタ手段に出力し、前記第２の記憶手段に保存されている印刷データを消去し、前記外部装置に対して印刷データの送信を再開させるように制御するステップと
を有することを特徴とする画像形成装置の制御方法。
【請求項１９】
第１の記憶手段と、
第２の記憶手段とを有する画像形成装置の制御方法であって、
制御手段により、前記第１の記憶手段が正常な状態である場合には、スキャナ手段から受信した印刷データを前記第１の記憶手段と前記第２の記憶手段に保存し、前記保存した印刷データをプリンタ手段により印刷するように制御するステップと、
前記制御手段により、前記第１の記憶手段が故障の状態である場合には、前記スキャナ手段が印刷データの読み取りを開始するように制御し、前記スキャナ手段が読み取った印刷データを受信し、前記受信した印刷データを前記第２の記憶手段に保存し、前記第２の記憶手段の保存可能容量が所定値以上である場合には、前記スキャナ手段が読み取りを継続するように制御し、前記第２の記憶手段の保存可能容量が前記所定値未満である場合には、前記スキャナ手段が読み取りを中断するように制御し、前記第２の記憶手段に保存されている印刷データを前記プリンタ手段に出力し、前記第２の記憶手段に保存されている印刷データを消去し、前記スキャナ手段が読み取りを再開するように制御し、前記スキャナ手段がすべての読み取りを終了した場合には、前記第２の記憶手段に保存されている印刷データを前記プリンタ手段に出力するステップと
を有することを特徴とする画像形成装置の制御方法。
【発明の詳細な説明】
【技術分野】
【０００１】
本発明は、画像形成装置および画像形成装置の制御方法に関する。
【背景技術】
【０００２】
ハードディスクドライブ（ＨＤＤ）は、その駆動部分に高精細なメカ制御を要し、記憶媒体に磁性体を使用するために、振動などの環境の変化に弱く、一般的に壊れやすい。画像形成装置のハードウェア故障件数の多いものの１つにＨＤＤが挙げられる。特許文献１には、ＨＤＤの故障が起きた際に、画像形成装置内の別のメモリを使用して印刷を継続する技術が開示されている。
【先行技術文献】
【特許文献】
【０００３】
【特許文献１】特開２００８−７３９２１号公報
【発明の概要】
【発明が解決しようとする課題】
【０００４】
しかしながら、ＨＤＤが故障した場合において、ＨＤＤ以外のメモリを用いて印刷をするとき、印刷データの容量によっては印刷時間が増加する場合がある。画像形成装置は、印刷開始前に印刷時間が多くかかる可能性があるという表示がないために、ユーザが分からずに、予想外の時間がかかり、ユーザにとって不便となる場合がある。
【０００５】
本発明の目的は、第１の記憶手段が故障の状態である場合には、メッセージを表示することができる画像形成装置および画像形成装置の制御方法を提供することである。
【課題を解決するための手段】
【０００６】
本発明の画像形成装置は、第１の記憶手段と、第２の記憶手段と、前記第１の記憶手段が正常な状態である場合には、受信した印刷データを前記第１の記憶手段と前記第２の記憶手段に保存し、前記保存した印刷データをプリンタ手段により印刷するように制御し、前記第１の記憶手段が故障の状態である場合には、メッセージを表示するように制御する制御手段とを有する。
【発明の効果】
【０００７】
本発明によれば、第１の記憶手段が故障の状態である場合には、メッセージを表示することができる。
【図面の簡単な説明】
【０００８】
【図１】画像形成装置の構成例を示すブロック図である。
【図２】メインコントローラ部の構成例を示すブロック図である。
【図３】ＨＤＤの状態に応じた印刷データの保存方法を示す図である。
【図４】ＨＤＤの状態に応じた機能の使用の可否を示す図である。
【図５】ＨＤＤ故障時のＬＡＮプリント実施時のフローチャートである。
【図６】ＨＤＤ故障時の通常コピー実施時のフローチャートである。
【発明を実施するための形態】
【０００９】
図１は、本発明の実施形態による画像形成装置１００の構成例を示すブロック図である。画像形成装置１００は、プリント機能、スキャナ機能、コピー機能、ＦＡＸ機能などの複数の機能を備えるＭＦＰ（Multi Function Peripheral）である。画像形成装置１００は、電源部１０１と、メインコントローラ部１０２と、スキャナ部１０３と、プリンタ部１０４と、操作部１０５と、表示部１０６とを有する。画像形成装置１００の構成要素は、例示である。画像形成装置１００は、ＦＡＸ１０７および外部装置１０８に接続される。外部装置１０８は、例えば、パーソナルコンピュータである。
【００１０】
電源部１０１は、画像形成装置１００の各部に対して電源供給を行う。スキャナ部１０３は、原稿から光学的に画像を読み取り、画像データを生成する。プリンタ部１０４は、電子写真方式に従って記録媒体（用紙）に画像を形成する。メインコントローラ部１０２は、スキャナ部１０３、外部装置１０８、またはＦＡＸ１０７から入力された画像データを処理し、その処理した画像データをプリンタ部１０４へ出力する。また、メインコントローラ部１０２は、操作部１０５へ入力されたユーザ指示に応じて、スキャナ部１０３やプリンタ部１０４を含む画像形成装置１００の統括的な動作を制御する。表示部１０６は、画像形成装置１００の状態（例えば、印刷残り枚数やエラーが発生した際の情報等）を表示する他、画像形成装置１００で使用できる機能の表示や選択を行うことができる。
【００１１】
画像形成装置１００は、ジョブモードと、スタンバイモードと、スリープモードの３種類の動作モードを有する。ジョブモードでは、画像形成装置１００は、コピーやスキャン動作を実行可能なモードであり、画像形成装置１００のすべての部分に通電させる。スタンバイモードでは、画像形成装置１００は、ジョブを待機している状態であり、スキャナ部１０３とプリンタ部１０４以外の部分に通電させる。スリープモードでは、画像形成装置１００は、必要最小限の負荷（ＦＡＸ１０７などの外部との通信部やメインコントローラ部１０２）以外を動作させない。
【００１２】
画像形成装置１００は、操作部１０５や外部装置１０８やＦＡＸ１０７よりジョブを入力すると、ジョブモードとなり、印刷などを行う。画像形成装置１００は、ジョブが終了すると、スタンバイモードへと移行し、その後、一定時間経過しても画像形成装置１００が使用されない場合や、操作部１０５においてスリープモードへと移行させる操作が行われた場合に、スリープモードへ移行する。
【００１３】
図２は、図１のメインコントローラ部１０２の構成例を示すブロック図である。メインコントローラ部１０２は、外部データ受信部２０１、ＣＰＵ２０２、メモリ部２０３、ハードディスクドライブ（ＨＤＤ）２０４、および画像処理部２０５を有する。
【００１４】
外部データ受信部２０１は、画像形成装置１００に接続された外部装置１０８やＦＡＸ１０７から印刷データを受信する。
【００１５】
画像処理部２０５は、ＣＰＵ２０２、プリンタ部１０４、およびスキャナ部１０３に接続され、スキャナ部１０３から出力されたデジタル画像に対して色空間変換などの画像処理を行い、画像処理後のデジタル画像をＣＰＵ２０２に出力する。また、画像処理部２０５は、スキャナ部１０３から出力されたデジタル画像に対して色空間変換などの画像処理を行い、ビットマップデータに変換し、プリンタ部１０４に出力する。
【００１６】
ＣＰＵ２０２は、制御部であり、画像形成装置１００の全体の制御を行う中央演算装置である。ＣＰＵ２０２は、操作部１０５、ＦＡＸ回線１１２、外部装置１０８からの信号を入力し、コピー機能、プリント機能、ＦＡＸ機能等の機能を実現する。
【００１７】
また、ＣＰＵ２０２は、ＨＤＤ制御部２０６を有する。ＨＤＤ制御部２０６は、ＨＤＤ２０４の制御を行う。さらに、ＣＰＵ２０２は、ＨＤＤ２０４の状態を検出する機能を有し、検出したＨＤＤ２０４の状態に基づいて、印刷データの保存場所を決定する。
【００１８】
メモリ部２０３は、ＤＤＲ ＳＤＲＡＭ等の揮発性の半導体メモリであり、ＣＰＵ２０２で実行されるジョブなどを一時的に格納する揮発性の記憶装置である。メモリ部２０３は、その他、印刷データを保存するデータ保存領域を有する。
【００１９】
ＨＤＤ２０４は、データを記憶する不揮発性の記憶装置であり、画像形成装置１００における印刷画像データの書き込みや読み出しが行われる。なお、ＨＤＤ２０４の代わりに、ＨＤＤ以外の記憶装置（例えばＳＳＤ等）を用いてもよい。また、ＨＤＤ２０４は、画像形成装置１００の外部に設けてもよい。ＨＤＤ２０４の容量は、メモリ部２０３の容量より大きい。
【００２０】
また、図２では、ＣＰＵ２０２とＨＤＤ２０４が直接接続されているが、ＣＰＵ２０２の容量等の関係で、ＣＰＵ２０２とは別のディスクアレイ装置（不図示）を用いてＨＤＤ２０４を制御してもよい。なお、ＨＤＤ２０４のデータ保存領域は、メモリ部２０３のデータ保存領域よりも大きく設定されている。ＨＤＤ２０４とメモリ部２０３のデータ保存領域は、それぞれ、定められたデータ容量までデータを保存することが可能である。
【００２１】
図３（ａ）および（ｂ）は、メモリ部２０３とＨＤＤ２０４の構成例を示す図である。メモリ部２０３は、システム領域とデータ保存領域を有する。ＨＤＤ２０４は、データ保存領域を有する。ＣＰＵ２０２は、ＨＤＤ２０４の状態に応じて、印刷データをメモリ部２０３またはＨＤＤ２０４に保存する。
【００２２】
図３（ａ）のように、ＣＰＵ２０２は、ＨＤＤ２０４が故障せず正常な状態である場合には、印刷データを受信すると、メモリ部２０３のデータ保存領域とＨＤＤ２０４のデータ保存領域に印刷データを保存する。
【００２３】
図３（ｂ）のように、ＣＰＵ２０２は、ＨＤＤ２０４が故障の状態である場合には、印刷データを受信すると、ＨＤＤ２０４に印刷データを保存せず、メモリ部２０３のデータ保存領域に印刷データを保存する。
【００２４】
図４は、ＨＤＤ２０４の状態に応じた機能の使用の可否を示す図である。画像形成装置１００は、ＨＤＤ２０４が正常な状態と故障の状態とでは、機能の使用の可否が異なる。図４において、使用可能な機能は○、使用不可能な機能は×として表している。
【００２５】
画像形成装置１００は、通常コピー機能と、ＬＡＮプリント機能と、ＦＡＸ機能と、スキャン送信機能と、宛先の利用機能とを有する。通常コピー機能は、スキャナ部１０３で読み取った画像データを印刷する機能である。ＬＡＮプリント機能は、外部装置１０８（例えばパーソナルコンピュータなど）からネットワークを経由してデータを受信して印刷する機能である。ＦＡＸ機能は、外部の公衆回線を介してＦＡＸ１０７から受信したデータを印刷する機能である。スキャン送信機能は、スキャナ部１０３で読み取った画像データをＨＤＤ２０４へ保存したり、外部装置１０８へ送信する機能である。宛先の利用機能は、ＦＡＸ機能を使用する際にあて先を利用する機能である。
【００２６】
ＨＤＤ２０４が正常な状態では、画像形成装置１００は、前述のすべての機能を使用することが可能である。画像形成装置１００は、操作部１０５からの指示や外部装置１０８からのジョブを入力した場合、各機能と設定に基づいて、動作を行う。
【００２７】
ＨＤＤ２０４が故障の状態では、画像形成装置１００は、通常コピー機能とＬＡＮプリント機能のみ使用することが可能であり、その他の機能を使用することができない。使用できない機能については、操作部１０５からの操作を受け付けないように設定する。
【００２８】
図５は、ＨＤＤ２０４の故障時の画像処理装置１００のＬＡＮプリント機能の制御方法を示すフローチャートである。画像処理装置１００は、ＨＤＤ２０４が故障の状態である場合には、図５の処理により、外部装置１０８から印刷データを受信し、印刷データを印刷する。
【００２９】
ステップＳ５０１では、ＣＰＵ２０２は、外部装置１０８から印刷データを受信する。次に、ステップＳ５０２では、ＣＰＵ２０２は、外部装置１０８から受信した印刷データのヘッダ情報を基に、印刷データの容量を取得する。
【００３０】
ステップＳ５０３では、ＣＰＵ２０２は、印刷データの容量がメモリ部２０３のデータ保存可能容量以下であるか否かを判定する。データ保存可能容量は、データ保存可能な残り容量である。ＣＰＵ２０２は、印刷データの容量がメモリ部２０３のデータ保存可能容量以下である場合には、ステップＳ５０４に進み、印刷データの容量がメモリ部２０３のデータ保存可能容量より大きい場合には、ステップＳ５０５に進む。
【００３１】
ステップＳ５０４では、ＣＰＵ２０２は、外部装置１０８から受信した印刷データをメモリ部２０３のデータ保存領域に保存し、メモリ部２０３のデータ保存領域に保存されている印刷データをプリンタ部１０４により印刷するように制御する。すると、プリンタ部１０４は、印刷データを印刷する。その後、ＣＰＵ２０２は、図５の処理を終了する。
【００３２】
ステップＳ５０５では、ＣＰＵ２０２は、縮退で印刷に長時間がかかる旨の警告メッセージを外部装置１０８に表示させ、印刷を続行するか否かを選択するためのボタンを外部装置１０８に表示させるように制御する。外部装置１０８は、ユーザの操作指示により、印刷を続行することが選択された場合には、印刷を続行する選択信号をＣＰＵ２０２に送信し、印刷を続行しないことが選択された場合には、印刷を続行しない選択信号をＣＰＵ２０２に送信する。
【００３３】
ＨＤＤ２０４が正常な状態である場合、印刷データがメモリ部２０３のデータ保存可能容量より大きくても、ＣＰＵ２０２は、図３（ａ）のように、メモリ部２０３とＨＤＤ２０４のデータ保存領域に印刷データを保存するので、高速に印刷処理を行うことができる。
【００３４】
これに対して、ＨＤＤ２０４が故障の状態である場合、印刷データがメモリ部２０３のデータ保存可能容量より大きい場合、ＣＰＵ２０２は、図３（ｂ）のように、メモリ部２０３のデータ保存領域のみを使用して印刷データを保存するので、印刷処理が遅くなる。
【００３５】
次に、ステップＳ５０６では、ＣＰＵ２０２は、外部装置１０８からの選択信号を参照し、印刷を続行するか否かを判定する。ＣＰＵ２０２は、印刷を続行する選択信号の場合には、ステップＳ５０７に進み、印刷を続行しない選択信号の場合には、ステップＳ５０８に進む。
【００３６】
ステップＳ５０７では、ＣＰＵ２０２は、メモリ部２０３のデータ保存領域のみを使用して印刷データを保存し、その保存した印刷データをプリンタ部１０４に出力する。具体的には、ＣＰＵ２０２は、メモリ部２０３のデータ保存可能容量が所定値以上である場合には、外部装置１０８から受信した印刷データをメモリ部２０３のデータ保存領域に保存し、外部装置１０８からの印刷データの受信を続行する。
【００３７】
ＣＰＵ２０２は、メモリ部２０３のデータ保存可能容量が所定値未満である場合には、外部装置１０８に対して印刷データの送信を中断させるように制御し、メモリ部２０３のデータ保存領域に保存されている印刷データをプリンタ部１０４に出力する。そして、ＣＰＵ２０２は、メモリ部２０３のデータ保存領域に保存されている印刷データを消去し、外部装置１０８に対して印刷データの送信を再開させるように制御する。
【００３８】
そして、ＣＰＵ２０２は、外部装置１０８からすべての印刷データを受信するまで、上記の処理を繰り返す。ＣＰＵ２０２は、すべての印刷データを受信した場合には、メモリ部２０３のデータ保存領域に保存されている印刷データをプリンタ部１０４に出力する。プリンタ部１０４は、入力した印刷データを印刷する。その後、ＣＰＵ２０２は、図５の処理を終了する。
【００３９】
ステップＳ５０８では、ＣＰＵ２０２は、外部装置１０８から受信した印刷データをプリンタ部１０４により印刷しないように制御し、図５の処理を終了する。
【００４０】
なお、ＣＰＵ２０２は、ＨＤＤ２０４が正常な状態である場合には、外部装置１０８から受信した印刷データをＨＤＤ２０４とメモリ部２０３のデータ保存領域に保存し、その保存した印刷データをプリンタ部１０４により印刷するように制御する。
【００４１】
図６は、ＨＤＤ２０４の故障時の画像処理装置１００の通常コピー機能の制御方法を示すフローチャートである。画像処理装置１００は、スキャナ部１０３が読み取る印刷データの印刷が指示された場合、ＨＤＤ２０４が故障の状態である場合には、図６の処理により、スキャナ部１０３から印刷データを受信し、印刷データを印刷する。
【００４２】
ステップＳ６０１では、ＣＰＵ２０２は、ＨＤＤ２０４が故障している場合、コピーに長時間がかかる可能性がある旨の警告メッセージと、印刷を続行するか否かを選択するためのボタンを表示部１０６に表示する。ユーザは、印刷を続行するか否かを選択するためのボタンを選択することができる。
【００４３】
次に、ステップＳ６０２では、ＣＰＵ２０２は、印刷を続行するボタンが選択されたことを検出した場合には、ステップＳ６０３に進み、印刷を続行しないボタンが選択されたことを検出した場合には、ステップＳ６０９に進む。
【００４４】
ステップＳ６０９では、ＣＰＵ２０２は、スキャナ部１０３により読み取りをさせず、プリンタ部１０４に印刷をさせないように制御し、図６の処理を終了する。
【００４５】
ステップＳ６０３では、ＣＰＵ２０２は、スキャナ部１０３が原稿から画像の印刷データの読み取りを開始するように制御する。スキャナ部１０３は、原稿から画像の印刷データの読み取りを開始し、印刷データをＣＰＵ２０２に送信する。ＣＰＵ２０２は、スキャナ部１０３が読み取った印刷データを受信し、その受信した印刷データをメモリ部２０３のデータ保存領域に保存する。
【００４６】
次に、ステップＳ６０４では、ＣＰＵ２０２は、メモリ部２０３のデータ保存可能容量が所定値以上であるか否かを判定する。ＣＰＵ２０２は、メモリ部２０３のデータ保存可能容量が所定値以上である場合には、ステップＳ６０５に進み、メモリ部２０３のデータ保存可能容量が所定値未満である場合には、ステップＳ６０７に進む。
【００４７】
ステップＳ６０５では、ＣＰＵ２０２は、スキャナ部１０３がすべての原稿の読み取りを終了したか否かを判定する。ＣＰＵ２０２は、スキャナ部１０３がすべての原稿の読み取りを終了した場合には、ステップＳ６０６に進み、スキャナ部１０３が原稿の読み取りを終了していない場合には、ステップＳ６１０に進む。
【００４８】
ステップＳ６１０では、ＣＰＵ２０２は、スキャナ部１０３が原稿から画像の印刷データの読み取りを継続するように制御する。スキャナ部１０３は、印刷データの読み取りを継続し、印刷データをＣＰＵ２０２に送信する。ＣＰＵ２０２は、受信した印刷データをメモリ部２０５のデータ保存領域に保存し、ステップＳ６０４に戻る。
【００４９】
ステップＳ６０７では、ＣＰＵ２０２は、スキャナ部１０３が原稿から画像の印刷データの読み取りを中断するように制御し、メモリ部２０３のデータ保存領域に保存されている印刷データをプリンタ部１０４に出力し、ステップＳ６０８に進む。
【００５０】
ステップＳ６０８では、メモリ部２０３のデータ保存領域に保存されている印刷データを消去し、ステップＳ６０３に戻り、スキャナ部１０３が原稿から画像の印刷データの読み取りを再開するように制御する。その後、ＣＰＵ２０２は、ステップＳ６０５で、スキャナ部１０３がすべての原稿の読み取りを終了したと判定するまで、上記の処理を繰り返す。
【００５１】
ステップＳ６０６では、ＣＰＵ２０２は、メモリ部２０３のデータ保存領域に保存されている印刷データをプリンタ部１０４に出力する。プリンタ部１０４は、入力した印刷データを印刷する。その後、ＣＰＵ２０２は、図６の処理を終了する。
【００５２】
なお、ＣＰＵ２０２は、ＨＤＤ２０４が正常な状態である場合には、スキャナ部１０３から受信した印刷データをＨＤＤ２０４とメモリ部２０３のデータ保存領域に保存し、その保存した印刷データをプリンタ部１０４により印刷するように制御する。
【００５３】
以上のように、画像形成装置１００は、ＨＤＤ２０４が故障した場合には、図５のＬＡＮプリント機能と図６の通常コピー機能の処理を行う。ＣＰＵ２０２は、ＨＤＤ２０４が故障した場合、印刷に長時間がかかる可能性がある場合には、事前に警告メッセージを表示することにより、印刷に長時間がかかる可能性があることをユーザに知らせることができる。これにより、ユーザにとっての利便性が向上する。
【００５４】
なお、図６では、ＣＰＵ２０２は、読み取った印刷データの容量がメモリ部２０３のデータ保存可能容量より大きい場合に、ステップＳ６０７で、読み取った部分の印刷データをプリンタ部１０４に出力する。この際、ＣＰＵ２０２は、スキャナ部１０３が読み取る枚数毎に印刷データをプリンタ部１０４に出力してもよい。
【００５５】
また、画像形成装置１００は、ＨＤＤ２０４が故障した場合、印刷に長時間がかかる可能性がある場合に、ユーザに印刷を続行するか否かを選択する例を説明したが、これに限定されない。複数の画像形成装置１００が外部装置１０８に接続されている場合がある。一の画像形成装置１００のＣＰＵ２０２は、図５のステップＳ５０５では、印刷を続行するかまたは他の正常なＨＤＤ２０４を有する画像形成装置１００で印刷するかを選択するためのボタンを外部装置１０８に表示させるように制御することができる。一の画像形成装置１００のＣＰＵ２０２は、印刷を続行することが選択された場合には、ステップＳ５０７の処理を行う。また、一の画像形成装置１００のＣＰＵ２０２は、他の画像形成装置１００で印刷することが選択された場合には、受信した印刷データをプリンタ部１０４により印刷しないように制御する。ユーザが他の画像形成装置１００での印刷を選択した場合、他の画像形成装置１００は、一の画像形成装置１００の代わりに、印刷データを印刷する。
【００５６】
また、ＬＡＮプリント機能では、画像形成装置１００は、外部装置１０８が送信する印刷データの全てを受信しないと、印刷データの容量を判断できないデータ形式がある。画像形成装置１００は、印刷データのヘッダ情報を基に印刷データの容量を取得できない場合には、外部装置１０８上にエラー表示をするように制御し、印刷データをプリンタ部１０４により印刷しないように制御し、印刷を中止するようにしてもよい。
【００５７】
以上のように、画像形成装置１００は、ＨＤＤ２０４が故障の状態であり、事前に印刷時間が長時間であると判断できる場合には、ユーザが印刷を続行するか否かを選択できるようになるため、ユーザにとって利便性が向上する。
【００５８】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読み出し実行する処理でも実現可能である。また、１以上の機能を実現する回路（例えば、ＡＳＩＣ）によっても実現可能である。
【００５９】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００６０】
１０６：表示部、２０２：ＣＰＵ、２０３：メモリ部、２０４：ＨＤＤ
【図１】
2020104474.tif 000003
【図２】
2020104474.tif 000004
【図３】
2020104474.tif 000005
【図４】
2020104474.tif 000006
【図５】
2020104474.tif 000007
【図６】
2020104474.tif 000008